(57)【要約】【課題】オイルレシーバーが、その回収部の上方から下方に向けて落下する潤滑油の油量が十分でない箇所に配置される場合においても、同回収部に十分な潤滑油を回収可能な変速機の潤滑装置を提供すること。【解決手段】この潤滑装置では、オイルレシーバー１０が、ケーシング３０内のギヤ４０が回転することによりケーシング３０内の底部から掻き上げられる潤滑油５０の一部を回収する回収部１１と、この回収部１１内に回収された潤滑油５０を所定の箇所に移送する移送部とを有する。回収部１１には、回収部１１の上方から下方に向けて落下する潤滑油５０の一部を回収部１１の内部に導入するための上部導入開口１１ａが設けられるとともに、回収部１１の下方から回収部１１の底壁１１ｃに向けて飛散する潤滑油５０の一部を回収部１１の内部に導入するための下部導入孔１１ｂが設けられている。【選択図】図１
2012154443.tif 000002
【特許請求の範囲】
【請求項１】
ケーシング内のギヤが回転することによりケーシング内の底部から掻き上げられる潤滑油の一部を回収する回収部と、この回収部内に回収された潤滑油を所定の箇所に移送する移送部とを有するオイルレシーバーを備えた変速機の潤滑装置であって、
前記回収部には、前記回収部の上方から下方に向けて落下する潤滑油の一部を前記回収部の内部に導入するための上部導入開口が設けられるとともに、前記回収部の下方から前記回収部の底壁に向けて飛散する潤滑油の一部を前記回収部の内部に導入するための下部導入孔が設けられている変速機の潤滑装置。
【請求項２】
請求項１に記載の変速機の潤滑装置であって、
前記下部導入孔は、前記底壁から上方に所定量隆起し上方に向けて開口が順次細くなる隆起部に設けられている変速機の潤滑装置。
【請求項３】
請求項１または２に記載の変速機の潤滑装置であって、
前記回収部の上方には、前記下部導入孔の上端開口を通して前記回収部の内部に導入される潤滑油を前記上端開口の周囲に拡散させる誘導壁を有するカバーが設けられている変速機の潤滑装置。
【発明の詳細な説明】
【技術分野】
【０００１】
本発明は、変速機の潤滑装置に関し、特に、ケーシング内のギヤが回転することによりケーシング内の底部から掻き上げられる潤滑油の一部を回収し所定の箇所に移送するオイルレシーバーを備えた変速機の潤滑装置に関する。
【背景技術】
【０００２】
オイルレシーバーを備えた変速機の潤滑装置は、例えば、下記特許文献１に記載されていて、オイルレシーバーは、ケーシング内に配設されていて、ケーシング内のギヤが回転することによりケーシング内の底部から掻き上げられる潤滑油の一部を回収する回収部と、この回収部内に回収された潤滑油を所定の箇所に移送する移送部（流路）とを有している。
【先行技術文献】
【特許文献】
【０００３】
【特許文献１】特開２００７−１７０４９１号公報
【発明の概要】
【０００４】
上記特許文献１に記載されているオイルレシーバーは、その回収部の上方から下方に向けて落下する潤滑油の油量が十分である箇所に配置されているため、同回収部に設けた上部導入開口のみにて潤滑油を十分に回収することが可能である。しかし、オイルレシーバーは、その回収部の上方から下方に向けて落下する潤滑油の油量が十分である箇所に配置できない場合（例えば、図４に示したような場合）がある。この場合には、図４にて概略的に示したように、オイルレシーバーの回収部１における右側上方に廂状のガイド２を付設して、ギヤ３の回転によりケーシング４内の底部から掻き上げられる潤滑油５の一部を回収部１に向けて導いたとしても、同回収部１に設けた上部導入開口１ａのみにて潤滑油を十分に回収することができない場合がある。なお、ギヤ３の回転により掻き上げられる潤滑油５（図４ではギヤ３が停止している状態の油面が示されている）は、図４の二点鎖線間の範囲にて多量に分布する。
【０００５】
本発明の目的は、オイルレシーバーが、その回収部の上方から下方に向けて落下する潤滑油の油量が十分でない箇所に配置される場合においても、同回収部に十分な潤滑油を回収可能な変速機の潤滑装置を提供することにある。
【０００６】
本発明による変速機の潤滑装置は、ケーシング内のギヤが回転することによりケーシング内の底部から掻き上げられる潤滑油の一部を回収する回収部と、この回収部内に回収された潤滑油を所定の箇所に移送する移送部とを有するオイルレシーバーを備えた変速機の潤滑装置であって、前記回収部には、前記回収部の上方から下方に向けて落下する潤滑油の一部を前記回収部の内部に導入するための上部導入開口が設けられるとともに、前記回収部の下方から前記回収部の底壁に向けて飛散する潤滑油の一部を前記回収部の内部に導入するための下部導入孔が設けられている。
【０００７】
本発明による変速機の潤滑装置では、オイルレシーバーの回収部に前記上部導入開口と前記下部導入孔が設けられている。このため、前記上部導入開口にて、前記回収部の上方から下方に向けて落下する潤滑油の一部を前記回収部の内部に導入することができるとともに、前記下部導入孔にて前記回収部の下方から前記回収部の底壁に向けて飛散する潤滑油の一部を前記回収部の内部に導入することができる。このため、オイルレシーバーが、その回収部の上方から下方に向けて落下する潤滑油の油量が十分でない箇所に配置される場合においても、同回収部に十分な潤滑油を回収することが可能である。
【０００８】
上記した本発明の実施に際して、前記下部導入孔は、前記底壁から上方に所定量隆起し上方に向けて開口が順次細くなる隆起部に設けられていることも可能である。この場合には、回収部の下方から回収部の底壁に向けて飛散し前記下部導入孔の下部に付着した潤滑油が、前記隆起部の壁面に沿って前記下部導入孔の上部に向けて導かれる。このため、オイルレシーバーの回収部に潤滑油を効率よく回収することが可能である。
【０００９】
また、上記した本発明の実施に際して、前記回収部の上方には、前記下部導入孔の上端開口を通して前記回収部の内部に導入される潤滑油を前記上端開口の周囲に拡散させる誘導壁を有するカバーが設けられていることも可能である。この場合には、下部導入孔の上端開口を通して回収部の内部に導入される潤滑油が下部導入孔を通して回収部の外部に落下することを抑制できて、オイルレシーバーの回収部への潤滑油の回収効率を向上させることが可能である。
【図面の簡単な説明】
【００１０】
【図１】本発明による変速機の潤滑装置の一実施形態を概略的に示した模式図である。
【図２】図１に示したオイルレシーバーとカバーの拡大断面図である。
【図３】図２に示したオイルレシーバーの要部斜視図である。
【図４】本発明と比較するための変速機の潤滑装置の一実施形態を概略的に示した模式図である。
【発明を実施するための形態】
【００１１】
以下に、本発明の一実施形態を図面に基づいて説明する。図１〜図３は本発明による変速機の潤滑装置の一実施形態を概略的に示したものであり、この潤滑装置はオイルレシーバー１０とカバー２０を備えている。オイルレシーバー１０は、ケーシング３０内の上部に配設されていて、ケーシング３０内のギヤ４０（変速ギヤ列の一つ）が回転することによりケーシング３０内の底部から掻き上げられる潤滑油５０の一部を回収する回収部１１と、この回収部１１内に回収された潤滑油５０を所定の箇所に移送する移送部１２（図３参照）とを有している。
【００１２】
ところで、この実施形態においては、オイルレシーバー１０の回収部１１に、回収部１１の上方から下方に向けて落下する潤滑油５０の一部を回収部１１の内部に導入するための上部導入開口１１ａが設けられるとともに、回収部１１の下方から回収部１１の底壁１１ｃに向けて飛散する潤滑油５０の一部を回収部１１の内部に導入するための下部導入孔１１ｂが複数個設けられている。下部導入孔１１ｂは、回収部１１の底壁１１ｃから上方に所定量隆起し上方に向けて開口が順次細くなる略円錐台形状（多角錐台形状でも実施可能）の隆起部１１ｄに設けられている。
【００１３】
また、この実施形態においては、カバー２０がオイルレシーバー１０の上方に配設されている。カバー２０は、回収部１１の上部導入開口１１ａを確保する状態で設けられていて、下部導入孔１１ｂの上端開口を通して回収部１１の内部に導入される潤滑油５０を下部導入孔１１ｂの上端開口の周囲に拡散させる略円錐形状の誘導壁２１（下部導入孔１１ｂの上端開口に向けて突出する円錐状突起）を有している。なお、カバー２０の平坦部に上下方向にて貫通する連通孔（カバー２０の上面に落下した潤滑油５０を回収部１１の内部に導入するためのもの）を設けて実施することも可能である。
【００１４】
上記のように構成したこの実施形態では、オイルレシーバー１０の回収部１１に上部導入開口１１ａと下部導入孔１１ｂが設けられている。このため、上部導入開口１１ａにて、回収部１１の上方から下方に向けて落下する潤滑油５０の一部を回収部１１の内部に導入することができるとともに、下部導入孔１１ｂにて回収部１１の下方から回収部１１の底壁１１ｃに向けて飛散する潤滑油５０の一部を回収部１１の内部に導入することができる（図２の矢印参照）。このため、オイルレシーバー１０が、その回収部１１の上方から下方に向けて落下する潤滑油５０の油量が十分でない箇所に配置される場合においても、同回収部１１に十分な潤滑油を回収することが可能である。
【００１５】
また、この実施形態では、下部導入孔１１ｂが、底壁１１ｃから上方に所定量隆起し上方に向けて開口が順次細くなる隆起部１１ｄに設けられている。このため、回収部１１の下方から回収部１１の底壁１１ｃに向けて飛散し下部導入孔１１ｂの下部に付着した潤滑油が、隆起部１１ｄの壁面に沿って下部導入孔１１ｂの上部に向けて導かれる。このため、オイルレシーバー１０の回収部１１に潤滑油を効率よく回収することが可能である。
【００１６】
また、この実施形態では、回収部１１の上方に、下部導入孔１１ｂの上端開口を通して回収部１１の内部に導入される潤滑油５０を下部導入孔１１ｂの上端開口の周囲に拡散させる誘導壁２１を有するカバー２０が設けられている。このため、下部導入孔１１ｂの上端開口を通して回収部１１の内部に導入される潤滑油５０が下部導入孔１１ｂを通して回収部１１の外部に落下することを抑制できて、オイルレシーバー１０の回収部１１への潤滑油５０の回収効率を向上させることが可能である。
【００１７】
本発明は上記実施形態に限定されることはなく、本発明の範囲内において種々の変形例を採用することができる。例えば、上記実施形態では、オイルレシーバー１０における回収部１１の底壁１１ｃから上方に所定量隆起し上方に向けて開口が順次細くなる隆起部１１ｄに下部導入孔１１ｂを設けて実施したが、上記した隆起部（１１ｄ）の開口は全体が略同じ形状（例えば、隆起部（１１ｄ）が円筒状に形成されている）として実施することも可能である。
【００１８】
また、上記実施形態では、回収部１１の上方に、誘導壁２１を有するカバー２０を設けて実施したが、カバー２０を設けないで実施することも可能である。また、上記実施形態では、回収部１１に６個の下部導入孔１１ｂを設けて実施したが、下部導入孔（１１ｂ）の形状・個数は適宜変更して実施することが可能である。また、本発明は、種々な手動変速機は勿論のこと、種々な自動変速機にも同様に実施することが可能である。
【符号の説明】
【００１９】
１０…オイルレシーバー、１１…回収部、１１ａ…上部導入開口、１１ｂ…下部導入孔、１１ｃ…底壁、１１ｄ…隆起部、１２…移送部、２０…カバー、２１…誘導壁、３０…ケーシング、４０…ギヤ、５０…潤滑油
【図１】
2012154443.tif 000003
【図２】
2012154443.tif 000004
【図３】
2012154443.tif 000005
【図４】
2012154443.tif 000006